(57)【要約】【課題】  本発明は細長形状の支持体の長さ方向の中間点に調整可能に位置するピボットを有する運動機器に関する。【解決手段】  運動機器は、細長形状の支持体と、前記細長形状の支持体の長さに中間点に位置し、付与される補助力又は抵抗力のレベルを調整するために前記中間点の位置が調整可能であるピボットと、前記ピボットの一側の前記支持体に取り付けた少なくとも１つ以上の下半身支持体と、前記ピボットの他側の前記支持体に取り付けた少なくとも１つ以上の上半身支持体と、を有する。【選択図】図１
2017522979.tif 000002
【特許請求の範囲】
【請求項１】
運動機器であって、
１.細長形状の支持体と、
２.前記細長形状の支持体の長さの中間点に調整可能に位置するピボットと、
３.前記ピボットの一側の前記細長形状の支持体に取り付けた少なくとも１つ以上の下半身支持体と、
４.前記ピボットの他側の前記細長形状の支持体に取り付けた少なくとも１つ以上の上半身支持体と、
を有する運動機器。
【請求項２】
前記ピボットは、地面支持面を備え、前記細長形状の支持体を地面の上方に支持するように構成されたピボット本体によって提供され、使用中は前記細長形状の支持体と前記ピボット本体が旋回又は回転動作で共に動くように構成されていることを特徴とする請求項１に記載の運動機器。
【請求項３】
前記地面支持面は、滑り止め仕上げの支持面であることを特徴とする請求項２に記載の運動機器。
【請求項４】
前記地面支持面は、略円筒形の面であることを特徴とする請求項２に記載の運動機器。
【請求項５】
前記地面支持面は、略楕円形の面であることを特徴とする請求項２に記載の運動機器。
【請求項６】
さらに、楕円形の地面支持面を円筒形の面に変換するように構成された１つ以上の取り外し可能な補助ピボット本体ユニットを有することを特徴とする請求項５に記載の運動機器。
【請求項７】
前記ピボット本体は、前記細長形状の支持体の前記長さに沿った前記ピボット本体の位置を調整可能なように解放可能に前記細長形状の支持体と係合するように構成されていることを特徴とする請求項２に記載の運動機器。
【請求項８】
前記ピボット本体は、前記細長形状の支持体の前記長さに沿って配置された複数の固定位置のいずれかで前記細長形状の支持体と係合するように構成されていることを特徴とする請求項２に記載の運動機器。
【請求項９】
さらに、運動の抵抗力のレベルを前記細長形状の支持体の前記長さに沿った前記ピボット位置の関数として表す１つ以上の抵抗指示器を備えていることを特徴とする請求項１に記載の運動機器。
【請求項１０】
前記上半身支持体及び前記下半身支持体の少なくとも一方が前記細長形状の支持体の前記長さに沿って調整可能な位置を有していることを特徴とする請求項１に記載の運動機器。
【請求項１１】
前記細長形状の支持体の前記長さは固定されていることを特徴とする請求項１に記載の運動機器。
【請求項１２】
前記細長形状の支持体の前記長さは調整可能であることを特徴とする請求項１に記載の運動機器。
【請求項１３】
前記細長形状の支持体は、その前記長さに沿って少なくとも１つの上向きの湾曲部を有していることを特徴とする請求項１に記載の運動機器。
【請求項１４】
腕立て伏せ補助機器として使用する場合、ユーザは、うつ伏せ状態で、前記ユーザの身体が前記細長形状の支持体の前記長さに沿って置かれ、前記ユーザの下半身が１つ以上の前記下半身支持体上に置かれ、前記ユーザの上半身が１つ以上の前記上半身支持体上に置かれるように適合させることを特徴とする請求項１に記載の運動補助機器。
【請求項１５】
腹筋機器として使用する場合には、ユーザは、１つ以上の前記上半身支持体上に、前記ユーザの身体が前記細長形状の支持体の前記長さに沿って置かれ、前記ユーザの足の位置が１つ以上の前記下半身支持体の下に置かれ又は前記下半身支持体に固定されることを特徴とする請求項１に記載の運動補助機器。
【請求項１６】
１つ以上のオーバーヘッドグリップを備え、使用中、ユーザは、仰向け状態を、前記ユーザの身体が前記細長形状の支持体の前記長さに沿って置かれ、前記ユーザの下半身が１つ以上の前記下半身支持体上に置かれ、前記ユーザの上半身が１つ以上の前記上半身支持体上に置かれ、前記ユーザの手が前記オーバーヘッドグリップを握るように適合させる。ように構成された、傾斜懸垂補助システムを含む請求項１に記載の運動補助機器。
【請求項１７】
１つ以上の前記オーバーヘッドグリップは、オーバーヘッドフレームに支持されることを特徴とする請求項１６に記載の傾斜懸垂補助システム。
【請求項１８】
前記機器は腕立て伏せ補助として構成可能であることを特徴とする請求項１に記載の運動機器。
【請求項１９】
前記機器は、腹筋機器として構成可能であることを特徴とする請求項１に記載の運動機器。
【請求項２０】
前記機器は、反転した懸垂機器として構成可能であることを特徴とする請求項１に記載の運動機器。
【請求項２１】
ユーザに対する全ての動作補助力は、体重及び／又は前記機器の構成要素の固定重量から導出されることを特徴とする請求項１に記載の運動機器。
【請求項２２】
１つ以上の前記下半身支持体は、フットレストを含むことを特徴とする請求項１に記載の運動機器。
【請求項２３】
１つ以上の前記上半身支持体は、前記細長形状の支持体に沿って調整可能な位置を有する第１の支持体を含むことを特徴とする請求項１に記載の運動機器。
【請求項２４】
１つ以上の前記上半身支持体は、第２の支持体と、前記第２の支持体と前記ピボットとの間に位置する前記第１の支持体とを含むことを特徴とする請求項２３に記載の運動機器。
【請求項２５】
さらに、反復カウンタを含むことを特徴とする請求項１に記載の運動機器。
【請求項２６】
運動機器であって、
１.ハンドルと、
２.前記ハンドルに回転可能に取り付けられた２つ以上のホイールであって、前記ホイールの間の前記ハンドルの一部にユーザの手が届くように互いに間隔をあけて位置する前記ホイールと、
３.非対称の支持装置と、
を備え
第１の向きでは、使用中、前記ユーザの体重を、前記ハンドルを介して前記ホイールにかけ、
第２の向きでは、使用中は、前記ユーザの体重が前記ハンドルを介して前記支持装置にかかるように、前記支持装置が前記ホイールの外周を越えて下方へ延在していることを特徴とする運動機器。
【請求項２７】
非対称の前記支持装置は、前記ハンドルに対する相対位置が固定されていることを特徴とする請求項２６に記載の運動機器。
【請求項２８】
非対称の前記支持装置は、前記ハンドルの幅より広く安定した基部を有することを特徴とする請求項２６に記載の運動機器。
【発明の詳細な説明】
【技術分野】
【０００１】
本発明は運動機器に関する。
【背景技術】
【０００２】
運動機器は、ユーザの動きに抵抗力を与えるために広く使用される。例えば、フリーウェイト運動は、ウェイトバーによって与えられた抵抗力に抗する動きを含む。固定したウェイトマシンも広く使用されている。これらの機器は、大きくて扱いにくいことが多い。ウェイトマシンは、大きい設置面積を必要とする上、購入費が高い。
【０００３】
また、運動機器は、動きに対する抵抗力を低減させるために使用することもできる。例えば、機器は、腕立て伏せ運動の際、ユーザの上方向への動作を補助するように提案されている。しかし、従来の機器は、過度に複雑で、高価で、使用が困難である。また、従来の機器は、スプリングや追加のウェイトの使用に依存している。抵抗力又は補助力のレベルの調整も、極度に難しい。
【先行技術文献】
【特許文献】
【０００４】
【特許文献１】ＵＳ２０１１０００９２５０Ａ１
【特許文献２】ＣＡ２２８０３０３Ａ１
【特許文献３】ＵＳ２０１０００２２３６２Ａ１
【特許文献４】ＵＳ７０６００１４Ｂ２
【発明の概要】
【発明が解決しようとする課題】
【０００５】
ＵＳ２０１１０００９２５０Ａ１は、腕立て伏せを行う際にユーザを補助するための機器を開示している。この機器は、ユーザの胴体に上方向の力を加えて腕立て伏せの動きに対する抵抗力を低減させる。この機器は、基部に取り付ける胴体支持部を備える。弾性を有するバンドを使って、胴体支持部に上方向の力を加える。
【０００６】
ＣＡ２２８０３０３Ａ１は、ユーザが腕立て伏せを行う際に補助するための機器を開示している。この機器は、ユーザの身体全長を支持するベンチを備える。このベンチは、取付け台によってフレームに固定されている。圧縮スプリング又はガススプリングを使って上方向の力をベンチにかけて使用する。
【０００７】
ＵＳ２０１０００２２３６２Ａ１は、追加のウェイトをロッカーフレーム上に使用して腕立て伏せの動きを補助する腕立て伏せ機器を開示している。この機器は、扱いにくく、使用中には不快になることもありうる。さらに、ユーザはウェイトを定位置まで持ち上げなければならない。
【０００８】
ＵＳ７０６００１４Ｂ２は、腕立て伏せを行うための支持プラットフォームを開示している。このプラットフォームは、取付け台の周りを回転する。ねじりコイルスプリングを設けて抵抗力のレベルを変更する。
【０００９】
従来の機器は、すべて、比較的複雑で、抵抗力のレベルを変えるには、ウェイト、弾性バンド、あるいはスプリングに依存している。抵抗力の調整には、ウェイトを追加又は取り除くこと、又はスプリング機構の調整を必要とする。さらに、これらの機器は、重く、高価な構成である。
【００１０】
本明細書において、従来の技術を参照することは、そのような従来の技術が共通の一般的な知識の一部を形成するものであるということを認めているのではない。
【００１１】
本発明の目的は、改良された運動補助機器を提供すること、又は少なくとも公に有効な選択肢を与えることにある。
【課題を解決するための手段】
【００１２】
第１の形態では、本発明は、細長形状の支持体と、前記細長形状の支持体の長さの中間点に調整可能に位置するピボットと、前記ピボットの一側の前記細長形状の支持体に取り付けた少なくとも１つ以上の下半身支持体と、前記ピボットの他側の前記細長形状の支持体に取り付けた少なくとも１つ以上の上半身支持体と、を有する運動機器を提供する。
【００１３】
前記ピボットは、地面支持面を備え、前記細長形状の支持体を地面の上方に支持するように構成されたピボット本体によって提供され、使用中は細長形状の支持体とピボット本体が旋回又は回転動作で共に動くように構成されているのが好ましい。
【００１４】
前記地面支持面は、滑り止め仕上げの支持面であるのが好ましい。
【００１５】
前記地面支持面は、略円筒形の面であるのが好ましい。
【００１６】
あるいは、前記地面支持面は、略楕円形の面である。前記運動機器は、前記楕円形の地面支持面を円筒形の面に変換するように構成された１つ以上の取り外し可能な補助ピボット本体ユニットを有していてもよい。
【００１７】
前記ピボット本体は、前記細長形状の支持体の前記長さに沿った前記ピボット本体の位置を調整可能なように解放可能に前記細長形状の支持体と係合するように構成されているのが好ましい。
【００１８】
前記ピボット本体は、前記細長形状の支持体の前記長さに沿って配置された複数の固定位置のいずれかで前記細長形状の支持体と係合するように構成されているのが好ましい。
【００１９】
前記運動機器は、運動の抵抗力のレベルを前記細長形状の支持体の前記長さに沿ったピボット位置の関数として表す１つ以上の抵抗指示器を備えているのが好ましい。
【００２０】
前記上半身支持体及び前記下半身支持体の少なくとも一方が前記細長形状の支持体の前記長さに沿って調整可能な位置を有しているのが好ましい。
【００２１】
前記細長形状の支持体の前記長さは固定されていることが好ましい。
【００２２】
あるいは、前記細長形状の支持体の前記長さは調整可能であるのが好ましい。
【００２３】
前記細長形状の支持体は、その前記長さに沿って少なくとも１つの上向きの湾曲部を有しているのが好ましい。
【００２４】
腕立て伏せ補助機器として使用する場合、ユーザは、うつ伏せ状態で、前記ユーザの身体が前記細長形状の支持体の前記長さに沿って置かれ、前記ユーザの下半身が１つ以上の前記下半身支持体上に置かれ、前記ユーザの上半身が１つ以上の前記上半身支持体上に置かれるように適合させるのが好ましい。
【００２５】
腹筋機器として使用する場合には、ユーザは、１つ以上の前記上半身支持体上に、前記ユーザの身体が前記細長形状の支持体の前記長さに沿って置かれ、前記ユーザの足の位置が１つ以上の前記下半身支持体の下又はそこに固定されて位置させるのが好ましい。
【００２６】
この形態は、上記に定義したように運動補助機器と、１つ以上のオーバーヘッドグリップとを備え、使用中、ユーザは、仰向け状態を、前記ユーザの身体が前記細長形状の支持体の前記長さに沿って置かれ、前記ユーザの下半身が１つ以上の前記下半身支持体上に置かれ、前記ユーザの上半身が１つ以上の前記上半身支持体上に置かれ、前記ユーザの手が前記オーバーヘッドグリップを握るように適合させるように構成された、傾斜した懸垂補助システムにも適用される。前記１つ以上のオーバーヘッドグリップは、オーバーヘッドフレームに支持されることが好ましい。
【００２７】
前記機器は、腕立て伏せの補助として構成可能であるのが好ましい。前記機器は、腹筋機器として構成可能であるのが好ましい。前記機器は、反転した懸垂機器として構成可能であるのが好ましい。
【００２８】
ユーザに対するすべての動作補助力は、体重及び／又は前記機器の構成要素の固定重量から導出されるのが好ましい。
【００２９】
１つ以上の前記下半身支持体は、フットレストを含むのが好ましい。
【００３０】
１つ以上の前記上半身支持体は、前記細長形状の支持体に沿って調整可能な位置を有する第１の支持体を含むのが好ましい。１つ以上の前記上半身支持体は、第２の支持体、前記第２の支持体と前記ピボットとの間に位置する前記第１の支持体とを含むのが好ましい。
【００３１】
前記機器は反復カウンタを含むのが好ましい。
【００３２】
本発明の別の形態は、ハンドルと、前記ハンドルに回転可能に取り付けられた２つ以上のホイールであって、前記ホイールの間の前記ハンドルの一部にユーザの手が届くように互いに間隔をあけて位置する前記ホイールと、非対称の支持装置とを備え、第１の向きでは、使用中、前記ユーザの体重を、前記ハンドルを介して前記ホイールにかけ、第２の向きでは、使用中は、前記ユーザの体重が前記ハンドルを介して前記支持装置にかかるように、前記支持装置が前記ホイールの外周を越えて下方へ延在していることを特徴とする運動機器を提供する。
【００３３】
非対称の前記支持装置は、前記ハンドルに対する相対位置が固定されているのが好ましい。
【００３４】
非対称の前記支持装置は、前記ハンドルの幅より広く安定した基部を有するのが好ましい。
【図面の簡単な説明】
【００３５】
本発明について、単なる例示には過ぎないが、添付の図を参照しながら説明する。
【００３６】
【図１】一実施形態による運動機器を示す図である。
【図２】図１の機器の側面図である。
【図３】図１の機器のさらなる側面図であり、いくつかの構成要素の調整可能な位置を示す図である。
【図４】図１の機器の上面図である。
【図５】図１の機器の底面図である。
【図６】腕立て伏せモードでの機器とユーザの位置を示す図である。
【図７】腕立て伏せモードでの機器とユーザの別の位置を示す図である。
【図８】腹筋モードでの機器とユーザの位置を示す図である。
【図９】腹筋モードでの機器とユーザの別の位置を示す図である。
【図１０】一実施形態による懸垂フレームを示す図である。
【図１１】図１０の懸垂フレームの別の視点から見た図である。
【図１２】逆の懸垂モードでの機器、懸垂フレーム、及びユーザの位置を示す図である。
【図１３】逆の懸垂モードでの機器、懸垂フレーム、及びユーザの別の位置を示す図である。
【図１４】足上げモードでの機器とユーザの位置を示す図である。
【図１５】足上げモードでの機器とユーザの別の位置を示す図である。
【図１６】別の実施形態による運動機器を示す。
【図１７】さらに別の実施形態による運動機器を示す。
【図１８】さらに別の実施形態による運動機器を示す。
【図１９】さらに別の実施形態による運動機器を示す。
【図２０】図１９の運動機器の別の視点から見た図である。
【発明を実施するための形態】
【００３７】
図１乃至図５は、一実施形態による運動機器１を示す。機器１は細長形状の支持体２を含んでいてもよく、その上に機器１の他の部分を取り付けてもよい。細長形状の支持体は、図示のように、単一の梁状又は棒状であるのが好ましい。しかしながら、実施形態によっては、２本以上の長手の要素、あるいは、長手の板などを使用してもよい。
【００３８】
機器はピボット本体３を含んでいてもよく、その下側には、地面支持面４を設ける。ピボット本体３は細長形状の支持体２と係合し、支持する。図１乃至図５では、ピボット本体３は概ね円筒形であり、地面支持面４は円筒面である。しかし、下記に説明するように、他の形状も可能である。ピボット本体３は、細長形状の支持体２を地面の上方に支持する。使用中は、細長形状の支持体とピボット本体は共に旋回又は揺動して移動可能とする。地面支持面４は、ゴム又はゴムの様な面を有する層又はコーティングを有する滑り止め仕上げの面でもよい。本実施形態では、一対の薄いゴム「タイヤ」５をピボット本体３に用いてこの滑り止め仕上げの地面支持面４を提供している。
【００３９】
機器１は、１つ以上の上半身支持体６をピボット本体３の一側に有し、１つ以上の下半身支持体７をピボット本体３をはさんだ他側に有し、これらの支持体はすべて細長形状の支持体２に取り付けられている。本実施形態では、２つの上半身支持体８、９と１つの下半身支持体としてフットレスト１０の態様で設けられている。しかしながら、上半身支持体又は下半身支持体の個数はそれ以外でもよく、ヘッドレスト、胴体支持体、体幹支持体、臀部支持体、ニーレスト、フットレストなど何れか適した組み合わせでよい。これらの支持体は、定位置に固定しても又は調整可能としてもよい。調整可能なレストはすべてユーザの身長、体型及び性別によって変更可能である。さらに調整可能なレストは、例えば、比較的体幹が弱いユーザを運動中に支持できるようにし、強いユーザに対しては、体幹領域のレストを取り外すなども可能である。
【００４０】
図２及び図３は、ピボット本体３、第１の上半身支持体９とフットレスト１０の細長形状の支持体の長さに沿った調整可能な位置を示す。
【００４１】
図５の下面図に示すように、細長形状の支持体はピボット本体３、第１の上半身支持体９、及びフットレスト１０を固定できる多数の増分位置を提供する一連の穴、開口、切り欠き、又は他の形成部１２を形成してもよい。ピボット本体３、第１の上半身支持体９、及びフットレスト１０のそれぞれは、解放可能に形成部１２と係合してピボット本体３、第１の上半身支持体９、又はフットレスト１０の位置を固定する係合要素１３を有していてもよい。
【００４２】
別の実施形態では、ピボット本体３、第１の上半身支持体９、及びフットレスト１０は、増分位置ではなく、連続して調整可能とすることもできる。この場合、ピボット本体３、第１の上半身支持体９、及びフットレスト１０のそれぞれは、細長形状の支持体を挟持するための適した挟持機構（カムロッククランプ、摩擦クランプ、又は他の適した機構など）を備えていてもよい。
【００４３】
ピボット本体３、第１の上半身支持体９、及びフットレスト１０のそれぞれは、ユーザが操作して係合要素１３を解放してピボット本体３、第１の上半身支持体９、又はフットレスト１０の位置を調整できるようにするアクチュエータ１４を備えていてもよい。図示のように、アクチュエータは、ハンドルやレバーでもよく、どの適した装置でも使用できる。
【００４４】
図４に示すように、細長形状の支持体に目盛り１６を付けてもよい。目盛りは、細長形状の支持体２の長さに沿ったピボット本体３の特定の位置によって与えられる抵抗力のレベルを表すものでもよい。図示のような漸次的に変化する間隔の、あるいは例えば、緑色（低抵抗力又は高レベルの補助力を示す）からオレンジ色（中間レベルの抵抗力又は補助力を示す）を介して赤色（高抵抗力又は低レベルの補助力を示す）まで色が長さに沿って変わるような着色指示器などのような、適した指示器を使うことができる。
【００４５】
図６及び図７は、運動機器１を腕立て伏せモードで使用しているところを示し、特に、腕立て伏せ中のユーザの上方への動作に対する補助をしている腕立て伏せ補助具としての使用を示している。
【００４６】
ユーザ１７は、うつ伏せ状態をユーザの身体を細長形状の支持体２の長さに沿って配置することによって適応させている。ユーザの下半身は１つ以上の下半身支持体によって支持される。この場合、ユーザの足がフットレスト１０によって支持されている。ユーザの上半身は、１つ以上の上半身支持体で支持される。この場合、第１の上半身支持体８と第２の上半身支持体９は共にユーザの胸の下に配置してもよい。フットレスト１０の位置は、ユーザの異なる身長に合わせて調整できる。
【００４７】
腕立て伏せ動作を行う際、ユーザ１７は、彼又は彼女の腕を介して、胸及び肩を図６の位置から図７の位置まで動かして上方に押し上げる。ピボット本体３が機器１の長さ方向に沿って調整されるとピボット本体３に対するユーザの重心の相対位置が変わる。これにより、ユーザの腕立て伏せ動作に提供される補助力のレベルが調整される。ユーザに対して提供される補助力のレベルは、ピボット本体がユーザの頭部に向けて移動するに従い高くなる（及び腕立て伏せを行っているときに感じる抵抗力は低くなる）。
【００４８】
図６及び図７は細長形状の支持体２の上向きの湾曲によって、動作の範囲を広げることが出来ることも示している。この湾曲した支持体２は、まっすぐな支持体ができる範囲よりも広い範囲で地面に接触することなく回転することができる。また、この湾曲によって、機器１に対して身体の２つの接触点で正しい身体の配置やうつ伏せ状態がとりやすいため、少なくとも腕立て伏せ運動の間はより良い姿勢をとれるようになる。
【００４９】
図８及び図９は、腹筋モードでの運動機器１を、特に、腹筋を行うのに接近可能な、また便利な位置を提供する腹筋機器として使用する様子を示す図である。
【００５０】
このモードでは、ユーザ１７は、１つ以上の上半身支持体、この場合は上半身支持体９上に座り、ユーザの臀部と足の間を腹筋にとって正しい距離となるように調整する。ユーザの足は、図示のようにフットレスト１０の下側に置くか、ストラップ等を使ってフットレスト１０に固定することができる。これにより、ユーザの足が腹筋中に不正に上方に動かないよう防ぐことができる。
【００５１】
ユーザは、ユーザの頭が一方の上半身支持体８上に支持され、その臀部が別の上半身支持体９上に支持された図８に示す位置から、腹筋動作を介して図９に示す位置に移動する。この腹筋動作に対する抵抗力は、ピボット本体の位置を調整することにより多少の調整が可能である。これにより、腹筋モードにおける機器の傾斜が変わり、傾斜がきつくなればなるほど、抵抗力が上がる。
【００５２】
図１０乃至図１３は、運動補助機器１を含む傾斜懸垂補助システムを示す。このシステムも、基部２１と基部２１上に支持されたオーバーヘッドフレーム２２を含む懸垂フレーム２０を含む。オーバーヘッドフレームは、１つ以上のオーバーヘッドグリップ２３を提供するものであればいかなるタイプのものでもよい。オーバーヘッドグリップは、ユーザが彼又は彼女の手で握ることができれば図示の様なバー又はストラップ、リング、又は他の適したどのグリップでもよい。
【００５３】
懸垂フレームは、ピボット部材２４を中心として基部２１に対して回転するオーバーヘッドフレーム２２を有し、図１０に示す「使用中」の位置と図１１に示す折りたたんだ位置との違いで示すように、収納しやすいように折りたたみ式でもよい。
【００５４】
反転の懸垂モードでは、ユーザ１７は、図１２に示すようにユーザの身体を細長形状の支持体２の長さに沿って配置して仰向け状態を適応させる。ユーザの下半身は、１つ以上の下半身支持体１０上に位置させる。ユーザの上半身は、１つ以上の上半身支持体８、９によって支持される。ユーザの手は１本以上のオーバーヘッドグリップ２３を握っている。ユーザは、上方へ引っ張ってオーバーヘッドグリップ２３上で図１２の位置から図１３の位置に移動する。補助力のレベルは機器１の長さに沿ったピボット本体３の位置を変えることによって調節できる。ピボット本体がユーザの頭部に向かって移動するに従って、抵抗力のレベルが下がる。
【００５５】
図１４及び図１５は、足上げモードでの機器１の使用状態を示す図である。このモードでは、ユーザ１７は、図１２に示すようにユーザの身体を細長形状の支持体２の長さに沿って配置して仰向け状態を適応させる。ユーザの下半身は、１つ以上の下半身支持体１０上に位置させる。ユーザの上半身は、１つ以上の上半身支持体８、９によって支持される。ユーザは、足を図１４の位置から図１５の位置まで上げることができる。
【００５６】
図１６及び図１７は、さらに２つの実施形態を示す図である。どちらの場合も、細長形状の支持体２は長さが調整可能である。これにより、機器の長さをユーザの身長に合わせて調整可能である。これらの実施形態では、フットレスト１０の位置は調整できなくてもよい。
【００５７】
図１６の実施形態では、細長形状の支持体２は、横に並んで配置され互いにブラケット２７、２８で固定した第１の長手部分２５と第２の長手部分２６を含む。
【００５８】
細長形状の支持体２の全体の長さは、第１の長手部分と第２の長手部分によって互いに対してスライドして調整可能である。
【００５９】
図１７の実施形態において、細長形状の支持体２は、伸縮式に配置された第１の長手部分２９と第２の長手の部分３０を有し、第１の部分２９はスライドして第２の部分３０の中に入り込むようになっている。
【００６０】
図１６又は図１７において、細長形状の支持体の全体の長さを希望の設定にロックするために適したロック要素を備えていてもよい。一実施形態において、ピボット本体３の係合要素１３を、第１の長手部分２５と第２の長手の部分２６又は２９、３０の両者と係合させて全体の長さをロックするようにしてもよい。別の実施形態において、別体のロック要素を設けてもよい。
【００６１】
図１８は、ピボット本体３が非円筒形である運動機器１の別の実施形態を示す。一般的に、様々な形状を使って異なる抵抗力のレベルを提供してもよい。図１８に示す実施形態において、ピボット本体は、先端を切り取ったラグビーボール又はアメリカンフットボールの形状を有していてもよい。よってピボット本体は前後に湾曲すると共に横方向にも湾曲した地面支持面４を提供する。この結果、円筒形のピボット本体（例えば図１のような）によって提供される横方向の安定性がなくなる。この横方向の不安定性により、使用中にさらなる筋肉、特に、腹斜筋や腹横筋のような体幹の筋肉が関係し、筋繊維を刺激したり、筋肉動作を誘発したりすることもできる。
【００６２】
一般的に、ピボット本体３は、適した形状であればいかなる形状を有していてもよい。一般的に、地面支持面４は、円筒形面又は楕円形面のどちらでもよく、あるいは、それらの面を適当に組み合わせたものでもよい。楕円形の表面を使用する場合には、３軸楕円体、回転楕円体、あるいは球体など、いかなる楕円形状でもよい。地面支持面の湾曲は連続的でも、変化があってもよい。地面支持面は２つ以上の部分を有し、それぞれが異なる湾曲であってもよい。
【００６３】
非円筒形を使用する場合には、図１８に示すように、多数の補助ピボット本体ユニット３５を有していてもよい。これらをピボット本体３の端部３６に取り付けると、ピボット本体３と補助ピボット本体ユニット３５を共に組み合わせて円筒形の地面支持面４を提供する。これにより、地面支持面の形状を円筒形と、補助ピボット本体ユニットを有さないピボット本体の湾曲形状の間で調整が可能となる。実施形態によっては、補助ピボット本体ユニットを数セット設け、ピボット本体３に設置したときにそれぞれが異なる湾曲形状の地面支持面となるようにしてもよい。図１８に示す実施形態では、ピボット本体３の中央領域３７は滑り止め仕上げの面を形成していてもよい。この機能は、上記のタイヤ５と類似している。同様に、各補助ピボット本体ユニットの周囲は、滑り止め仕上げの面を有していてもよい。
【００６４】
また、機器１は、１サイクルを通して機器１の動きを検知するように構成されたどの適切な機械又は電気装置である反復カウンタを有していてもよい。例えば、電気傾斜センサや機械的クリッカなどを使用してもよい。傾斜センサは、適切な取付具で機器に取り付けたスマートフォンを使って設けることもできる。センサ又はクリッカは、適切なカウンタにリンクさせてもよい。
【００６５】
適切な表示装置を設けてもよい。表示装置は、機器のいかなる適所に設けてもよいが、細長形状の支持体上が好ましい。表示装置は、抵抗力のレベル（ピボット位置を検知するための適切なセンサからの信号を受信する）、反復のカウント数、脈拍数（適した脈拍モニタから信号を受信する）、運動時間（累積時間又はカウントダウン時間を含む）、及びエネルギー消費量の表示のいずれか１つ以上を表示してもよい。
【００６６】
機器は、適切な材料であればいかなる材料から形成されていてもよい。好ましくは、比較的軽量の材料がよい。細長形状の支持体は、アルミニウム又はスチールなどの適した金属から形成してもよい。調整可能な構成要素の位置を提供するためのロッキング機構は、金属で形成するのが好ましい。他の構成要素は、ユーザが快適に使用できるように、適切な箇所に発泡剤を使用した成形プラスチックで形成してもよい。
【００６７】
有利なことに、出願人の運動機器は、スプリングの力や調整可能なウェイトなどの外力を使用せず、便利に調整可能な抵抗力を提供できるように構成されている。出願人の機器の好ましい形態は、ユーザの体重にのみ、あるいはほぼユーザの体重に依存して、運動を補助する。抵抗力の調整には、重い重りの移動、スプリングの伸長あるいは、強いスプリング力に抗する弾性バンドなどを必要としない。
【００６８】
さらに、出願人の機器は、一部の従来の運動機器とは異なり、構成が単純で快適に使用できる。機器自体は、比較的軽く、移動が容易である。機器は、収納も、また、使用の際に収納先から運び出すのも容易である。さらに、機器は多数の異なる運動用に容易にそして便利に構成できる。
【００６９】
上記の好ましい実施形態では、細長形状の支持体２は調整可能なピボット又はローラ本体３に取り付けられる。しかしながら、実施形態によっては、細長形状の支持体は、固定要素又はフレームによって支持された調整可能なピボットによって支持することもできる。
【００７０】
図１９及び図２０は、別の運動機器４０を示す。機器４０は、２つの間隔をあけたホイール４２の間に延在するハンドル４１を有する。支持装置は、支持体４３の形態でも設けてもよい。使用中、機器４０の向きによって、ホイール又は支持装置のいずれかが地面又は床と接触する。
【００７１】
図１９では、機器４０は、腕立て伏せハンドル又はハンドルに類するものとして操作する。ユーザの体重がハンドル４１にかかると、支持体４３を介して地面又は床に支えられる。支持体が安定した基部４４を有しているため、機器はユーザが運動中にその体重をずらしても動かない。
【００７２】
しかし、図２０では、機器４０がローラとして作用する向きを向いている。ユーザの体重がハンドル４１にかかると、ホイール４２を介して地面又は床に支えられる。ホイールがハンドル４１に対して回転するように取り付けられ、機器は、地面又は床を介して揺動する。これにより、腕立て伏せや同様の運動に対して有用な不安定性が加わる。
【００７３】
機器４０を図１乃至図１８に示す腕立て伏せモードの機器のいずれかと組み合わせて使用してもよい。機器４０は、単独で使用しても、同様の機器４０とペアで使用してもよい。機器４０は、一の機器で２つの便利な機能を提供する。
【００７４】
本発明について、その実施形態の説明を図示し、また、実施形態を詳細に説明してきたが、出願人は、添付の特許請求の範囲をそのような詳細事項に制限又は多少なりとも限定することを意図したものではない。さらに、上記の実施形態は、個々に実施しても、あるいは、相性がよい場合には組み合わせてもよい。さらなる利点や上記の実施形態の組み合わせを含む変更については、当業者にとって自明である。よって、本発明は、より広い側面において、特定の詳細事項、代表的な装置や方法、及び提示及び説明した事例に限定されるものではない。よって、出願人の全体的な発明の趣旨や概念の範囲にもとることなく、この詳細事項からの逸脱も可能である。
【図１】
2017522979.tif 000003
【図２】
2017522979.tif 000004
【図３】
2017522979.tif 000005
【図４】
2017522979.tif 000006
【図５】
2017522979.tif 000007
【図６】
2017522979.tif 000008
【図７】
2017522979.tif 000009
【図８】
2017522979.tif 000010
【図９】
2017522979.tif 000011
【図１０】
2017522979.tif 000012
【図１１】
2017522979.tif 000013
【図１２】
2017522979.tif 000014
【図１３】
2017522979.tif 000015
【図１４】
2017522979.tif 000016
【図１５】
2017522979.tif 000017
【図１６】
2017522979.tif 000018
【図１７】
2017522979.tif 000019
【図１８】
2017522979.tif 000020
【図１９】
2017522979.tif 000021
【図２０】
2017522979.tif 000022
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
運動機器であって、
１.細長形状の支持体と、
２.前記細長形状の支持体の長さの中間点に位置し、付与される補助力又は抵抗力のレベルを調整するために前記中間点の位置が調整可能であるピボットと、
３.前記ピボットの一側の前記細長形状の支持体に取り付けた少なくとも１つ以上の下半身支持体と、
４.前記ピボットの他側の前記細長形状の支持体に取り付けた少なくとも１つ以上の上半身支持体と、
を有する運動機器。
【請求項２】
前記ピボットは、地面支持面を備え、前記細長形状の支持体を地面の上方に支持するように構成されたピボット本体によって提供され、使用中は前記細長形状の支持体と前記ピボット本体が旋回又は回転動作で共に動くように構成されていることを特徴とする請求項１に記載の運動機器。
【請求項３】
前記地面支持面は、滑り止め仕上げの支持面であることを特徴とする請求項２に記載の運動機器。
【請求項４】
前記地面支持面は、略円筒形の面であることを特徴とする請求項２に記載の運動機器。
【請求項５】
前記地面支持面は、略楕円形の面であることを特徴とする請求項２に記載の運動機器。
【請求項６】
さらに、楕円形の地面支持面を円筒形の面に変換するように構成された１つ以上の取り外し可能な補助ピボット本体ユニットを有することを特徴とする請求項５に記載の運動機器。
【請求項７】
前記ピボット本体は、前記細長形状の支持体の前記長さに沿った前記ピボット本体の位置を調整可能なように解放可能に前記細長形状の支持体と係合するように構成されていることを特徴とする請求項２に記載の運動機器。
【請求項８】
前記ピボット本体は、前記細長形状の支持体の前記長さに沿って配置された複数の固定位置のいずれかで前記細長形状の支持体と係合するように構成されていることを特徴とする請求項２に記載の運動機器。
【請求項９】
さらに、運動の前記抵抗力のレベルを前記細長形状の支持体の前記長さに沿った前記ピボット位置の関数として表す１つ以上の抵抗指示器を備えていることを特徴とする請求項１に記載の運動機器。
【請求項１０】
前記上半身支持体及び前記下半身支持体の少なくとも一方が前記細長形状の支持体の前記長さに沿って調整可能な位置を有していることを特徴とする請求項１に記載の運動機器。
【請求項１１】
前記細長形状の支持体の前記長さは固定されていることを特徴とする請求項１に記載の運動機器。
【請求項１２】
前記細長形状の支持体の前記長さは調整可能であることを特徴とする請求項１に記載の運動機器。
【請求項１３】
前記細長形状の支持体は、前記長さに沿って少なくとも１つの上向きの湾曲部を有していることを特徴とする請求項１に記載の運動機器。
【請求項１４】
腕立て伏せ補助機器として使用する場合、ユーザは、うつ伏せ状態で、前記ユーザの身体が前記細長形状の支持体の前記長さに沿って置かれ、前記ユーザの下半身が１つ以上の前記下半身支持体上に置かれ、前記ユーザの上半身が１つ以上の前記上半身支持体上に置かれるように適合させることを特徴とする請求項１に記載の運動補助機器。
【請求項１５】
腹筋機器として使用する場合には、ユーザは、１つ以上の前記上半身支持体上に、前記ユーザの身体が前記細長形状の支持体の前記長さに沿って置かれ、前記ユーザの足の位置が１つ以上の前記下半身支持体の下に置かれ又は前記下半身支持体に固定されることを特徴とする請求項１に記載の運動補助機器。
【請求項１６】
１つ以上のオーバーヘッドグリップを備え、使用中、ユーザは、仰向け状態を、前記ユーザの身体が前記細長形状の支持体の前記長さに沿って置かれ、前記ユーザの下半身が１つ以上の前記下半身支持体上に置かれ、前記ユーザの上半身が１つ以上の前記上半身支持体上に置かれ、前記ユーザの手が前記オーバーヘッドグリップを握るように適合させる。ように構成された、傾斜懸垂補助システムを含む請求項１に記載の運動補助機器。
【請求項１７】
１つ以上の前記オーバーヘッドグリップは、オーバーヘッドフレームに支持されることを特徴とする請求項１６に記載の傾斜懸垂補助システム。
【請求項１８】
前記機器は、腕立て伏せ補助として構成可能であることを特徴とする請求項１に記載の運動機器。
【請求項１９】
前記機器は、腹筋機器として構成可能であることを特徴とする請求項１に記載の運動機器。
【請求項２０】
前記機器は、反転した懸垂機器として構成可能であることを特徴とする請求項１に記載の運動機器。
【請求項２１】
ユーザに対する全ての動作補助力は、体重及び／又は前記機器の構成要素の固定重量から導出されることを特徴とする請求項１に記載の運動機器。
【請求項２２】
１つ以上の前記下半身支持体は、フットレストを含むことを特徴とする請求項１に記載の運動機器。
【請求項２３】
１つ以上の前記上半身支持体は、前記細長形状の支持体に沿って調整可能な位置を有する第１の支持体を含むことを特徴とする請求項１に記載の運動機器。
【請求項２４】
１つ以上の前記上半身支持体は、第２の支持体と、前記第２の支持体と前記ピボットとの間に位置する前記第１の支持体とを含むことを特徴とする請求項２３に記載の運動機器。
【請求項２５】
さらに、反復カウンタを含むことを特徴とする請求項１に記載の運動機器。
【請求項２６】
運動機器であって、
１.ハンドルと、
２.前記ハンドルに回転可能に取り付けられた２つ以上のホイールであって、前記ホイールの間の前記ハンドルの一部にユーザの手が届くように互いに間隔をあけて位置する前記ホイールと、
３.非対称の支持装置と、
を備え
第１の向きでは、使用中、前記ユーザの体重を、前記ハンドルを介して前記ホイールにかけ、
第２の向きでは、使用中は、前記ユーザの体重が前記ハンドルを介して前記支持装置にかかるように、前記支持装置が前記ホイールの外周を越えて下方へ延在していることを特徴とする運動機器。
【請求項２７】
非対称の前記支持装置は、前記ハンドルに対する相対位置が固定されていることを特徴とする請求項２６に記載の運動機器。
【請求項２８】
非対称の前記支持装置は、前記ハンドルの幅より広く安定した基部を有することを特徴とする請求項２６に記載の運動機器。
【国際調査報告】
2017522979.tif 000023
2017522979.tif 000024
2017522979.tif 000025
2017522979.tif 000026
2017522979.tif 000027